(57)【要約】  燃料生成流体及び燃料生成物質が合わせられて燃料を生成するときの反応を提供するための反応室と、各室が別々に破裂可能な複数の離散燃料生成流体室と、燃料生成流体を反応室に供給するために選択的に燃料生成流体室を使用時に破裂させるように適合されたヒーターアセンブリと、を備える、燃料供給装置。
2016522143.tif 000002
【特許請求の範囲】
【請求項１】
燃料供給装置であって、
燃料生成流体及び燃料生成物質が合わせられて燃料を生成するときの反応を提供するための反応室と、
複数の離散燃料生成流体室であって、それぞれが別々に破裂可能である、離散燃料生成流体室と、
燃料生成流体を前記反応室に供給するために、前記燃料生成流体室を使用時に選択的に破裂させるように適合されたヒーターアセンブリと、を備える、前記燃料供給装置。
【請求項２】
前記燃料生成流体は活性化流体を含み、前記燃料生成物質は燃料源を含み、前記活性化流体と前記燃料源との間の前記反応が燃料を生成する、請求項１に記載の燃料供給装置。
【請求項３】
前記ヒーターアセンブリは、各燃料生成流体室が加熱のために少なくとも１つのヒーターと関連付けられ、それにより、前記燃料生成流体室を破裂させるように配置された複数のヒーターを備える、請求項１または２に記載の燃料供給装置。
【請求項４】
前記ヒーターは前記複数の離散燃料生成流体室の一部を形成する、請求項３に記載の燃料供給装置。
【請求項５】
前記ヒーターは前記燃料供給装置の一部上に形成され、前記ヒーターは選択的に活性化され、前記複数の離散燃料生成流体室に隣接して配置されることが可能なように構成されている、請求項３に記載の燃料供給装置。
【請求項６】
前記離散燃料生成流体室は、シートに形成された複数の封印袋を備え、各袋は燃料生成流体を含み、別々に破裂可能である、請求項１〜５のいずれかに記載の燃料供給装置。
【請求項７】
前記シートは少なくとも２つの層のものであり、前記２つの層は局所化された部分において互いに封印されて前記複数の袋を画定する、請求項６に記載の燃料供給装置。
【請求項８】
前記ヒーターアセンブリは前記フィルムシート上に印刷される、請求項６または７に記載の燃料供給装置。
【請求項９】
前記ヒーターアセンブリは前記燃料供給装置にそこから電力を受電するために電気的に接続するための電力受電端子を含む、請求項４または８に記載の燃料供給装置。
【請求項１０】
前記ヒーターアセンブリは、前記燃料生成流体を加熱し、また、前記燃料生成流体室を破裂させるように構成されている、請求項１〜９のいずれかに記載の燃料供給装置。
【請求項１１】
前記装置は、燃料生成流体が前記反応室に導入される速度を制御するための流体流れ制御デバイスを含む、請求項１〜１０のいずれかに記載の燃料供給装置。
【請求項１２】
前記流体流れ制御デバイスは、前記燃料生成流体室と前記反応室との間に吸収層を備える、請求項１１に記載の燃料供給装置。
【請求項１３】
各ヒーターは２つの端子、共通端子と個々の端子、を有し、前記共通端子のそれぞれは共通共用導体と接続され、前記ヒーターの各々１つは前記共用導体とその個々の端子との間に電力を供給することによって活性化されるように構成されている、請求項１〜１２のいずれかに記載の燃料供給装置。
【請求項１４】
前記燃料生成流体室及び関連付けられたヒーターが格子に配置され、前記格子は行及び列を含み、各行について共用導体を、また各列について共用導体を含み、前記ヒーターはそれらが位置付けされている前記行についての前記共用導体に接続され、かつそれらが位置付けされている前記列についての前記共用導体に接続され、前記格子が、特定のヒーターがその行の前記共用導体とその列の前記共用導体との間に電力を供給することによって活性化されることが可能であるように構成されている、請求項１〜１３のいずれかに記載の燃料供給装置。
【請求項１５】
前記燃料供給装置は、前記室内の前記燃料生成流体に圧力を適用するための燃料生成流体室加圧アセンブリを含む、請求項１〜１４のいずれかに記載の燃料供給装置。
【請求項１６】
前記加圧アセンブリは前記室を物理的に押圧するための付勢部材を備える、請求項１５に記載の燃料供給装置。
【請求項１７】
前記加圧アセンブリは、前記室が中に形成されるフィルムシートを張り渡すための取り付け具を備える、請求項１５に記載の燃料供給装置。
【請求項１８】
前記燃料供給装置は、燃料に関する需要を監視し、前記監視された需要に応答して少なくとも１つの燃料生成流体室を破裂させるように構成されたコントローラを含む、請求項１〜１７のいずれかに記載の燃料供給装置。
【請求項１９】
前記燃料供給装置は、水素燃料供給装置である、請求項１に記載の燃料供給装置。
【請求項２０】
請求項１から１９のいずれか一項に記載の前記燃料供給装置と共に使用されるように構成された燃料貯蔵庫であって、前記燃料貯蔵庫は複数の離散燃料生成流体室を含み、各流体室は燃料生成流体を収容し、別々に破裂可能である、前記燃料貯蔵庫。
【請求項２１】
前記離散燃料生成流体室はシート上に形成された複数の封印袋を備え、各袋は燃料生成流体を収容し、別々に破裂可能である、請求項２０に記載の燃料貯蔵庫。
【請求項２２】
前記シートは少なくとも２つのフィルム層のものであり、前記層は局所化された部分において互いに封印されて前記複数の袋を画定する、請求項２１に記載の燃料貯蔵庫。
【請求項２３】
前記燃料貯蔵庫は複数のヒーターを備えるヒーターアセンブリを含み、各燃料生成流体室は少なくとも１つのヒーターと関連付けられている、請求項２０から２２のいずれかに記載の燃料貯蔵庫。
【請求項２４】
燃料セル内で使用するための燃料を供給する方法であって、
複数の離散燃料生成流体室であって、それぞれが燃料生成流体を収容し、別々に破裂可能である、燃料生成流体室を提供するステップと、
前記燃料生成流体との組み合わせにおいて、燃料を生成可能である燃料生成物質を提供するステップと、
前記燃料を生成するために、少なくとも１つの燃料生成流体室を破裂させて前記燃料生成流体を前記燃料生成物質へ移送するステップと、を含む、前記方法。
【請求項２５】
本願に記述され、図面の図１から５において図解される燃料供給装置。
【請求項２６】
本願に記述され、図面の図１から５において図解される燃料貯蔵庫。
【請求項２７】
本願に記述され、図面の図６において図解される方法。
【発明の詳細な説明】
【技術分野】
【０００１】
本開示は燃料供給装置に関する。特に、電気化学燃料セルに関する水素供給装置に関する。本発明は燃料供給装置のための燃料貯蔵庫及び燃料供給の方法にも関する。
【背景技術】
【０００２】
燃料供給装置は、電力を生成するために水素を使用する電気化学燃料セル等の水素消費デバイスに対して水素を燃料として供給するために有用である。水素の安全で制御可能な源を有することは望ましい。
【０００３】
燃料供給装置の既知のタイプは、水溶液の活性化流体または水室から供給される水との、反応室内に収容される安定化アルカリ金属材料等の反応物質燃料材料との反応により、需要により水素を放出する水素ガス供給装置を備える。活性化流体が反応室内へ供給されるにつれ、水素ガスが生成され、燃料セルによる消費のために出口を通して抜き出されることが可能である。反応室内への活性化流体の流れを制御するためのポンプ及び弁を含むことは前述の装置にとって共通的である。
【０００４】
燃料供給装置内の反応が、需要に合わせて十分な水素が生成されることを確保するように容易に制御されることは重要である。燃料供給装置が信頼でき、容易に製造できることも重要である。
【発明の概要】
【課題を解決するための手段】
【０００５】
本発明の第１の態様に従い、燃料供給装置が提供され、この燃料供給装置は、
燃料を生成するために燃料生成流体及び燃料生成物質が合わせられたときの反応を提供するための反応室と、
各室が別々に破裂可能である複数の離散燃料生成流体室と、
燃料生成流体を反応室に供給するための燃料生成流体室を使用時に選択的に破裂させるように適合されたヒーターアセンブリと、を備える。
【０００６】
本装置は、燃料生成流体を反応室に提供するために、流体室を選択的に破裂させるようにヒーターアセンブリを活性化可能であるため、これは長所である。
【０００７】
好ましくは、燃料生成流体は活性化流体を含み、燃料生成物質は燃料源を含む。室が使用中に破裂させられたときに燃料を生成するために反応室内において活性化流体及び燃料源が互いに反応可能であることは長所である。代替的に、燃料を生成するために、燃料生成流体は燃料源流体を含み、第２の燃料生成物質は燃料源流体の触媒作用のための触媒を含んでもよい。燃料生成流体室が破裂されたとき、燃料源流体が流れて触媒と会い、反応室内において燃料を生成するため、これは長所である。
【０００８】
ヒーターアセンブリは、各燃料生成流体室が加熱のため、そしてそれによる前述の燃料生成流体室の破裂のための少なくとも１つのヒーターと関連付けられるように配置された、複数のヒーターを備えてよい。
【０００９】
ヒーターは、複数の離散燃料生成流体室の一部を形成し得る。
代替的に、ヒーターは燃料供給装置の一部上に形成され、複数の離散燃料生成流体室に隣接して配置され、そして選択的に活性化可能であるように構成されてよい。燃料生成流体室は、それぞれ少なくとも１つのヒーターと関連付けられてよい。
【００１０】
離散燃料生成流体室は、複数の封印袋を備えてよい。袋はシートに形成されてよく、各袋は燃料生成流体を収容し、別々に破裂可能である。特に、シートは少なくとも２つのフィルム層のものであってよく、層は局所化された部分において互いに封印され、複数の袋を画定する。
【００１１】
ヒーターアセンブリはフィルムシート上に印刷されてよい。
ヒーターアセンブリは、燃料供給装置にそこから電力を受電するために電気的に接続するための電力受電端子を含んでよい。
【００１２】
ヒーターアセンブリは、燃料生成流体を加熱するように構成されてもよい。加熱された燃料生成流体は、例えば、水素を生産するための反応を支援してよい。特に、ヒーターは、離散室を破裂させ、その中の燃料生成流体を気化させるように構成されてよい。
【００１３】
燃料供給装置は、燃料生成流体が反応室に導入される速度を制御するための流れ制御デバイスを含んでよい。流れ制御デバイスは、燃料生成流体が燃料源に到達する速度を制御するために、離散室と反応室間に吸収層を備えてよい。
【００１４】
各ヒーターは２つの端子、共通端子及び個々の端子、を有してよく、共通端子のそれぞれは共通共用導体と接続され、ヒーターは、共用導体とその個々の端子との間に電力を供給することによってヒーターが活性化可能なように構成される。
【００１５】
燃料生成流体室及び関連付けられたヒーターは格子に配置されてよく、格子は行及び列を備え、各行について共用導体を、また各列について共用導体を含み、ヒーターは、それらが位置付けされている行についての共用導体と接続され、かつそれらが位置付けされている列についての共用導体と接続され、格子がその行の共用導体とその列の共用導体との間に電力を供給することによって特定ヒーターが活性化可能であるように構成される。
【００１６】
燃料供給装置は、室内の燃料生成流体に対して圧力を適用するための燃料生成流体室加圧アセンブリを含んでよい。加圧アセンブリは、室を物理的に押圧する付勢部材、室が形成されるフィルムシートを張り渡すための取り付け具を備えてよく、あるいは、室自体が、室が形成されるフィルムシートを流体圧力が弾性的に張り渡すように充填されてもよい。各室への圧力の適用は、一旦破裂させられると室からの燃料生成流体の効率的射出を援助するという長所がある。
【００１７】
燃料供給装置は、燃料に対する需要を監視し、監視された需要に応答して、少なくとも１つの燃料生成流体室を破裂させるように構成されたコントローラを含んでよい。
【００１８】
燃料供給装置は水素燃料供給装置であってよい。燃料生成流体は水または水溶液であってよい。反応室は燃料生成物質を含んでよい。燃料生成物質は、安定化アルカリ金属材料を含んでよい。燃料生成物質は、固体、粉末、粒状、または他の乾燥形態であってよい。
【００１９】
発明のさらなる態様に従うと、発明の第１の態様の燃料供給装置で使用するための流体貯蔵庫が提供され、流体貯蔵庫は複数の離散燃料生成流体室を備え、各燃料生成流体室は燃料生成流体を収容し、別々に破裂可能である。
【００２０】
離散燃料生成流体室は、シート上に形成された複数の封印袋を備えてよく、各袋は活性化流体等の燃料生成流体を収容し、別々に破裂可能である。特に、シートは少なくとも２つのフィルム層のものであってよく、層は局所化された部分において互いに封印されて複数の袋を画定する。これは、柔軟シートが、燃料供給装置内に合うように様々に構成されて配置されることが可能である点が長所である。
【００２１】
燃料貯蔵庫は、複数のヒーターを備えるヒーターアセンブリを含んでよく、各燃料生成流体室は少なくとも１つのヒーターと関連付けられている。
【００２２】
ヒーターアセンブリはフィルムシート上に印刷されてよい。
ヒーターアセンブリは、燃料供給装置にそこから電力を受電するために電気的に接続するための電力受電端子を含んでよい。
【００２３】
ヒーターは、燃料生成流体を加熱するように構成されてもよい。特に、ヒーターは室を破裂させ、その中の流体を気化するように構成されてもよい。
【００２４】
発明のさらなる態様に従うと、燃料セル内で使用するための燃料を供給する方法が提供され、この方法は、
各流体室は燃料生成流体を収容し、別々に破裂可能である、複数の離散燃料生成流体室を提供するステップと、
燃料生成流体と組み合わされて燃料を生成可能である燃料生成物質を提供するステップと、
燃料を生成するために燃料生成流体を燃料生成物質に移送するために、少なくとも１つの燃料生成流体室を破裂させるステップと、を含む。
【００２５】
例のみとして、付属図面を参照してここで説明が提供される。
【図面の簡単な説明】
【００２６】
【図１】発明の燃料供給装置の実施形態例の図式を示す。
【図２】図１に示される燃料生成流体室の１つを示す。
【図３】燃料生成流体室の配列の実施形態を図解する。
【図４】燃料生成流体室の配列のさらなる実施形態を図解する。
【図５】燃料生成流体室の配列のさらなる別の実施形態を図解する。
【図６】発明の方法の実施形態例を図解する。
【発明を実施するための形態】
【００２７】
燃料供給装置１００の断面の実施形態の図式が図１に示されている。この実施形態例の装置は、燃料生成流体（活性化流体）と燃料生成物質（燃料源）間の反応を使用する。装置１００は燃料源１０２を収容する反応室１０１を含み、これは活性化流体で活性化され、燃料を生成することが可能である。この実施形態では、あらゆる他の燃料源１０２（水素生成またはその他）が使用されることが可能であるが、燃料源１０２は水素化ホウ素ナトリウムを含む。装置１００は複数の離散燃料生成流体室１０３ａ〜ｄをさらに備え、それぞれが活性化流体を収容し、それ故、以後活性化流体室として参照される。この実施形態では、あらゆる他の好適流体が可能であるが、活性化流体は水である。複数のヒーター１０４ａ〜ｄを備えるヒーターアセンブリが提供される。ヒーター１０４ａ〜ｄは、それらが関連付けられている活性化流体室１０３ａ〜ｄを破裂させるように選択的に活性化可能である。一旦破裂されると、活性化流体はその室から流れて燃料源１０２と反応可能である。このように、この例では、水性活性化流体は水酸化ホウ素ナトリウムと反応し、水素を生成して電気化学燃料セルに燃料を供給する。
【００２８】
この実施形態では、各活性化流体室１０３ａ〜ｄは１つのヒーター１０４ａ〜ｄと関連付けられる。活性化流体室は２つのフィルム層を備えるフィルムシート１０５に形成され、例えば二重皮ポリエステルフィルムである。層は局所化された部分１０６において互いに封印され、活性化流体室１０３ａ〜ｄを画定する。室１０３ａ〜ｄはこのようにして、フィルムシート１０５において袋またはポケットの形態をとり、活性化流体で満たされる。袋１０３ａ〜ｄは、図１に示されるように、封印フィルムの境界に取り囲まれて並んで配置されてもよく、または、離散室を分離するための境界及び内部分離壁、または狭い封印帯なしで、互いに直接隣接されてもよい。室は格子のような反復される幾何学模様で配置されてもよく、あるいはシート上にランダムにあるいはあらゆる他の配置でもよい。さらに、シート１０５は実質的に平面構成で配置されてもよく、あるいは、折り畳まれ、多重に折り畳まれ、または丸められ、またはあらゆる好適な形状に配置されてもよい。いくつかのシート１０５が提供されてもよい。
【００２９】
燃料源１０２は、帯内に、またはシート１０５の配置に対応し得るエリアにわたって配置されてもよい。代替的には、装置１００は、室１０３ａ〜ｄから放出された活性化流体を反応室に向けるための、または燃料源１０２との反応のために反応室を通る水路を含んでもよい。図１の実施形態において、活性化流体が燃料源１０２に導入される速度を制御するための活性化流体流れ制御デバイス１０７が示されている。これは水素燃料の安定した放出を達成し、反応速度、燃料圧力及び／または熱生成における尖頭をさけるために有用であり得る。活性化流体流れ制御デバイス１０７は袋１０３ａ〜ｄと燃料源１０２の間に吸収層を備える。活性化流体が袋１０３ａ〜ｄから放出されると、吸収層１０７によって吸収され、その後に、層１０７を浸透するにつれ、安定した速度で燃料源１０２との接触へと放出される。このように、袋１０４ａ〜ｄの選択的破裂は活性化流体の流れの制御のための一次的手段を提供し、活性化流体流れ制御デバイス１０７は二次的手段を提供する。袋１０４ａ〜ｄの破裂は入手可能な合計活性化流体の事前決定量を放出し、活性化流体流れ制御デバイス１０７は、事前決定量が燃料源１０２へ導入される速度を制御する。
【００３０】
活性化流体の流れを制御するための他の手段も使用され得、例えば、流れ制限装置、弁、またはより小さな（及びおそらくより数の多い）活性化流体室の使用である。代替的に、活性化流体流れ制御デバイス１０７は全然提供されなくてもよい。
【００３１】
ヒーター１０４ａ〜ｄは、活性化流体室１０３ａ〜ｄの外側表面上に形成されてもよい。代替的には、ヒーターは内部表面上または室内に形成されてもよい。ヒーター１０４ａ〜ｄは、ヒーター１０４ａ〜ｄを活性化するための電力を受電するための接続を含む。シート１０５は事前決定場所において接続を含んでもよく、それにより、装置１００内の電力提供端子（示されない）は組み立てられたときに接触可能である。接続の配置は、以下により詳細に論議される。
【００３２】
ヒーターは、活性化流体と接触して、袋１０３ａ〜ｄの層の内部表面に印刷または添付されてもよく、あるいは、袋の層の外部表面に印刷または添付されてもよい。ヒーターは袋１０３ａ〜ｄ内へ伸びてもよい。さらに、ヒーターは装置の一部上に形成されてもよく、また室１０３ａ〜ｄは関連付けられたヒーターに対して取り付けされるように配置されてもよい。
【００３３】
袋１０３ａ〜ｄ内の活性化流体は、シート１０５の弾性によりふるわれる圧力の下でその中に貯蔵されてもよい。このように、関連付けられたヒーター１０４ａ〜ｄが袋を溶解すると、活性化流体は破裂した袋１０３ａ〜ｄから強制的にはじき出される。代替的にまたは追加として、室加圧アセンブリを使用して活性化流体室１０３ａ〜ｄが破れたときに活性化流体がそこを立ち去ることを促すように使用されてもよい。この実施形態では、室加圧アセンブリ１０８は室１０３ａ〜ｄと接触して物理的圧力をふるうように配置された発泡層を備える（層１０８は分かりやすくするために図１においては室１０３ａ〜ｄから離れて示されている）。代替的に、室加圧アセンブリ１０８は、室１０３ａ〜ｄを挟む複数の表面を備えてよい。表面は弾力的または堅固であってもよく、また装置１００または反応室１０１の表面を備えてもよい（または部分的に表面を備える）。室加圧アセンブリ１０８はシート１０５の緊張を維持する取り付け具またはクランプ等の、シート１０５を張り渡すための手段を代替的に備えてもよい。
【００３４】
図２は、活性化流体室１０３ａの１つの実施形態の平面図を示す。活性化流体室１０３ａ〜ｄのすべてまたは一部は同一構成を有し得ることは理解されるであろう。活性化流体室１０３ａは活性化流体を収容し、フィルムシート１０５の層の１つの外部表面上に印刷されたヒーター１０４ａを含む。ヒーター１０４ａは、抵抗型ヒーター要素２００ａ及び電力を受電してヒーター要素２００ａの加熱を生じさせるための２つの接続２０１ａ、２０２ａを備える。ヒーター要素２００ａは、この実施形態においては曲がりくねった抵抗型トラックを備える、しかしながら、ヒーター要素２００ａは他の形態もとることができる。ヒーター要素２００ａは、室１０３ａの小点にわたってまたはその全表面にわたって、あるいは中間のエリアにおいて活動するように構成されてもよい。フィルムシートを局所的に加熱してその中に溶融して穴を作り、活性化流体を放出するように配置されてもよい。代替的に、活性化流体を加熱し、室１０３ａ内の内部圧力が破裂を生じさせて活性化流体を放出するように活性化流体を加熱するように配置されてもよい。ヒーター要素２００ａの配置は、活性化流体がどのように放出されるか、すなわち活性化流体の放出速度及び状態、に影響し、これは装置１００の意図された使用に合うように選択されることが可能であることは理解されるであろう。このように、ヒーターは、蒸気またはガスとして反応室１０１へ流れるように、部分的にまたは完全に気化するように十分に活性化流体を加熱するように（約１００℃が可能）配置されてもよい。
【００３５】
接続２０１ａ、２０２ａは装置内の端子に接続されてもよく、これは電流を接続に適用してヒーターを加熱し、室１０３ａを破裂させる。電流はパルスとして適用されてもよい。パルスのプロフィルは、シート１０５を溶解する穴のサイズに影響する。短いパルスはより小さい穴を作り、一方より長いパルスはより大きな穴を作る。穴のサイズは活性化流体が室１０３ａを離れる速度に影響する。
【００３６】
図３は、帯内に並べられた４つの活性化流体室１０３ａ〜ｄの配置例を示す。ヒーター要素３００ａ〜ｄは箱として表現される。各ヒーター要素は接続ペア２０１ａ〜ｄ、２０２ａ〜ｄを含み、これはそれぞれ装置１００内の対応する端子と接続してもよい。装置に関連付けられたコントローラ（示されない）は、それ故、電力を端子に選択的に適用し、ヒーター要素３００ａ〜ｄの１つ以上を活性化し、したがって、選択的に室１０３ａ〜ｄのそれぞれを破裂させることが可能である。
【００３７】
図４は、帯内に並べられた４つの活性化流体室４０３ａ〜ｄの配置例を示す。この実施形態においては、接続は異なって配置されている。各ヒーターは、共通端子接続４０１ａ〜ｄ及び個々の端子接続４０２ａ〜ｄを含む。配置は共用接続４１０を含み、これは各ヒーター要素４００ａ〜ｄの共通端子接続４０１ａ〜ｄと接続される。ポイント４１１における共用接続端子は、帯内の第１室４０３ａ上に本実施形態においては位置決めされている。各ヒーター要素４００ａ〜ｂの個々の接続４０２ａ〜ｄは、室１０３ａ〜ｄのそれぞれの上に存在する。このように、各室４０３ａ〜ｄを破裂させるには、室４０３ａ〜ｄのどれを破裂させているかにより、コントローラは共用接続４１０と１つ以上の第２の個々の接続４０２ａ〜ｄ間に電力を適用する。
【００３８】
図５は、９つの活性化流体室５０３ａ〜ｉの配置例を示し、それぞれが格子内で関連付けられたヒーター５００ａ〜ｉと共にある。接続配置は、室及びヒーターの行５２３、５２４、５２５のそれぞれについて共用接続５２０、５２１、５２２を備える。接続配置はさらに室及びヒーターの列５３３、５３４、５３５のそれぞれについて共用接続５３０、５３１、５３２を備える。共用接続は、装置１００の端子との接続のためにポイント５２６、５２７、５２８及び５３６、５３７、５３８において終端する。各ヒーター要素は２つの接続を有し、そのうちの１つはそれが中にある行についての共用接続と接続され、他方はそれが中にある列についての共用接続に接続される。このように、ヒーター要素５００ａは共用接続５２０及び５３０に接続される。ヒーター要素５００ｂは共用接続５２０及び５３１等に、及びヒーター要素５００ｉ、これは共用接続５２２及び５３２間に接続される、と接続される。このように、特定室５０３ａ〜ｄを破裂させるには、コントローラは、ヒーター要素が位置決めされている行及び列に相当する共用接続の終端ポイントへ電力を適用する。このように、第２行及び第２列内にある室５０３ｅを破裂させるには、コントローラは第２行共用接続５２１及び第２列共用接続５３１間に電力を適用する。
【００３９】
使用時において、装置１００は燃料源１０２及び室１０３ａ〜ｄ、４０３ａ〜ｄ、５０３ａ〜ｄ内に収容される活性化流体を含む。装置１００は燃料セルに接続され、これは装置１００から水素燃料の供給を必要とする。水素が必要とされると、これは装置内の圧力を維持することによって検出され得るが（燃料セルによって水素が引き抜かれるにつれ降下する）、コントローラは室１０３ａ〜ｄ、４０３ａ〜ｄ、５０３ａ〜ｄを選択的に破裂させ、ある量の活性化流体を放出して燃料源１０２と反応させ得る。本実施形態においては、ヒーター要素２００ａ〜ｄ、３００ａ〜ｄ、４００ａ〜ｄ、５００ａ〜ｉは、水素が必要とされるにつれて順番に活性化される。このように、電力のパルスが今度は各室に適用されてその表面に穴を溶融させ、その中の活性化流体を放出する。他の実施形態においては、いくつかの室が、燃料に関する需要に基づいて同時に破裂させられてもよい。図１の実施形態において、活性化流体は活性化流体流れ制御デバイス１０７により受容され、これが活性化流体を吸収し、それを、破裂させられた室１０３ａ〜ｄから受容されたより遅い速度で放出する。次に活性化流体は燃料源１０２と反応し、または反応室１０１に流され、燃料源１０２と反応し、水素燃料を生成する。
【００４０】
さらなる実施形態においては、コントローラはヒーターに対して十分なエネルギーを適用するように構成され、室を破裂させ、その中の活性化流体を気化する。活性化流体はこのようにして燃料源１０２に移動し、そこで蒸気またはガスとして反応する。これは反応をより効率的にし得る。さらに、ヒーターに供給される電力レベルは、活性化流体の加熱及びその後の室の破裂をもたらすように制御されてよい。例えば、第１の電力レベルは活性化流体を加熱するために適用され、続いてより高い電力レベル（これは電力中の尖頭であり得る）が続き、室を破裂させる。
【００４１】
離散型で、別々に破裂可能な室内の活性化流体の配置は、室の関連数のみを破裂させることによって放出される活性化流体の量をコントローラが制御することを可能とする故に長所である。
【００４２】
袋はフィルムの多数層から形成されてよく、これは一定層間の燃料生成物質及び他の層間のヒーター及び接続をカプセル化し得る。ヒーターの導体は、袋間の境界内に延びるように配置されてよい。ヒーターは袋上の単一ポイントまたは多数ポイント上で活動してよく、これは燃料生成流体の放出の速度を制御するために使用されることが可能である。ヒーターは作動時及び袋の破裂時に破壊されてもよく、または再使用可能であってもよい。袋の寸法及び数によって燃料生成の速度を制御可能であり、このようにして、特定用途の電力要件に合わせる。
【００４３】
さらなる実施形態において（示されない）、燃料生成流体はホウ化水素ナトリウム溶液等の燃料源流体を含む。反応室内に位置決めされてよい燃料生成物質は、ルテニウム、ロジウム、ニッケル、またはプラチナ等の触媒を備える。このように、この実施形態においては、燃料生成流体と燃料生成物質間の反応ではなく、燃料生成物質は燃料生成流体からの燃料の生成を触媒処理する。したがって、使用時において、ホウ化水素ナトリウム溶液は、燃料生成流体室から放出され、反応室内の触媒と出会い、これはホウ化水素ナトリウム溶液からの水素燃料の生成を触媒処理する。他の触媒との組み合わせにおける他の燃料生成流体も使用し得ることは理解されるであろう。
【００４４】
図６は、発明の実施形態例を図解する流れ図を示す。ステップ６０１は、複数の離散燃料生成流体室の提供を図解し、各流体室は燃料生成流体を収容し、別々に破裂可能である。ステップ６０２は、燃料生成流体との組み合わせで燃料を生成可能な燃料生成物質の提供を図解する。ステップ６０３は燃料を生成するために、流体を燃料生成物質に移送するために少なくとも１つの燃料生成流体室を破裂させることを図解する。
【００４５】
反対の意図が明確でない限り、１つの例に関して記述された特徴は、別の例に関して記述された特徴と組み合わせてよいことは理解されるであろう。
【図１】
2016522143.tif 000003
【図２】
2016522143.tif 000004
【図３】
2016522143.tif 000005
【図４】
2016522143.tif 000006
【図５】
2016522143.tif 000007
【図６】
2016522143.tif 000008
【国際調査報告】
2016522143.tif 000009
2016522143.tif 000010